(57)【特許請求の範囲】
【請求項１】
複数の二次電池を備えるバッテリーモジュールアセンブリと、
前記バッテリーモジュールアセンブリの一端に設けられる第１エンドプレートと、
前記一端と対向する前記バッテリーモジュールアセンブリの他端に設けられる第２エンドプレートと、
前記第１エンドプレートと前記第２エンドプレートとの間に位置するように前記第１エンドプレートに固定される第１圧力調節バーと、
前記第１圧力調節バーに摺動可能に挿入されるように前記第２エンドプレートに固定される第２圧力調節バーと、
を含み、
前記第１圧力調節バーは、
前記第２圧力調節バーが摺動可能に挿入されるように形成される収容空間と、
前記収容空間と連通するように前記第２圧力調節バーの摺動方向に沿って形成される複数の係止孔と、
を備え、
前記第２圧力調節バーは、前記第２圧力調節バーが前記収容空間に沿って摺動するとき、前記係止孔のいずれか一つから分離された後、前記係止孔の他のいずれか一つに係止されるように前記係止孔のいずれか一つに選択的に弾性係合する弾性係止爪を備えることを特徴とするバッテリーパック。
【請求項２】
前記弾性係止爪は複数個が形成され、前記係止孔の個数よりも少なく形成されることを特徴とする請求項１に記載のバッテリーパック。
【請求項３】
前記係止孔は、予め決められた間隔で形成され、
前記弾性係止爪は、前記係止孔の前記予め決められた間隔の整数倍の間隔で形成されることを特徴とする請求項２に記載のバッテリーパック。
【請求項４】
前記弾性係止爪は、端部が前記第１エンドプレート側に偏って傾くように形成されることを特徴とする請求項１に記載のバッテリーパック。
【請求項５】
前記第１エンドプレートと前記第２エンドプレートとが相互近接する方向へ復元力を提供する復元部材をさらに含むことを特徴とする請求項１に記載のバッテリーパック。
【請求項６】
前記復元部材は、引張ばねで構成されることを特徴とする請求項５に記載のバッテリーパック。
【請求項７】
前記復元部材は、前記収容空間に収容された状態で前記一端が前記第１圧力調節バーに固定され、前記他端が前記第２圧力調節バーに固定されることを特徴とする請求項６に記載のバッテリーパック。
【発明の詳細な説明】
【技術分野】
【０００１】
本発明は、複数の二次電池を備えるバッテリーパックに関する。
本出願は、２０１５年５月１８日出願の韓国特許出願第１０−２０１５−００６８９８４号に基づく優先権を主張し、該当出願の明細書及び図面に開示された内容は、すべて本出願に援用される。
【背景技術】
【０００２】
多様な製品への適用が容易であり、高いエネルギー密度などの電気的特性を有する二次電池は、携帯用器機のみならず電気的駆動源によって駆動する電気自動車（Ｅｌｅｃｔｒｉｃ  Ｖｅｈｉｃｌｅ，ＥＶ）またはハイブリッド自動車（Ｈｙｂｒｉｄ  Ｅｌｅｃｔｒｉｃ  Ｖｅｈｉｃｌｅ，ＨＥＶ）などに普遍的に応用されている。このような二次電池は、化石燃料の使用を画期的に減少させることができるという一次的な長所だけでなく、エネルギーの使用に伴う副産物が一切発生しないという点で環境に優しく、エネルギー効率性の向上のための新しいエネルギー源として注目されている。
【０００３】
現在、広く使用される二次電池の種類には、リチウムイオン電池、リチウムポリマー電池、ニッケルカドミウム電池、ニッケル水素電池、ニッケル亜鉛電池などがある。このような単位二次電池セルの作動電圧は約２．５Ｖ〜４．２Ｖである。したがって、これよりも高い出力電圧が要求される場合、複数の二次電池セルを直列接続してバッテリーパックを構成することもある。また、バッテリーパックに要求される充放電容量によって複数の二次電池セルを並列接続してバッテリーパックを構成することもある。したがって、前記バッテリーパックに含まれる二次電池セルの個数は、要求される出力電圧または充放電容量によって多様に設定できる。
【０００４】
一方、複数の二次電池セルを直列／並列に接続してバッテリーパックを構成する場合、二つ以上の二次電池セルを含むバッテリーモジュールを先に構成し、前記複数のバッテリーモジュールを用いてバッテリーモジュールアセンブリを構成し、前記バッテリーモジュールアセンブリにその他の構成要素を追加してバッテリーパックを構成する方法が一般的である。
【０００５】
このようなバッテリーパックは、複数の二次電池を備えるバッテリーモジュールアセンブリと、バッテリーモジュールアセンブリの上部に設けられる上部プレートと、バッテリーモジュールアセンブリの下部に設けられる下部プレートと、上部プレートと下部プレートとを締結する締結部材と、を含む。上部プレート及び下部プレートは、バッテリーモジュールアセンブリの外形を固定し、外部衝撃からバッテリーモジュールアセンブリを保護できる。
【０００６】
ところが、バッテリーモジュールアセンブリが備える二次電池がリチウム−ポリマーパウチ型二次電池である場合、反復的な充電及び放電の副反応で内部電解質が分解されてガスが発生し得る。この際、発生したガスによって二次電池セルの外形が変形される現象を「スウェリング現象」と言う。
【０００７】
このようなスウェリング現象により、充電時にはバッテリーモジュールアセンブリが膨張し、バッテリーモジュールアセンブリが上下部プレートに印加する圧力が増加する。そうすれば、締結部材及びその他のバッテリーパックが備える構造物に変形が発生するようになる。
【０００８】
かかるスウェリング現象によるバッテリーパックの性能低下を防止するために、上下部プレートの設計時、スウェリング現象を予測した剛性設計をしている。しかし、上下部プレートの公差、材質、厚さ、形状などを考慮した剛性設計のみでは、スウェリング現象によるバッテリーパックの性能劣化を防止することに限界があるという問題点がある。
【発明の概要】
【発明が解決しようとする課題】
【０００９】
本発明は、上記問題点に鑑みてなされたものであり、スウェリング現象によるバッテリーパックの性能劣化が最小化するように構造を改善させたバッテリーパックを提供することを目的とする。
【課題を解決するための手段】
【００１０】
上記の課題を達成するための本発明の望ましい実施例によるバッテリーパックは、複数の二次電池を備えるバッテリーモジュールアセンブリと、バッテリーモジュールアセンブリの一端に設けられる第１エンドプレートと、一端と対向するバッテリーモジュールアセンブリの他端に設けられる第２エンドプレートと、第１エンドプレートと第２エンドプレートとの間に位置するように第１エンドプレートに固定される第１圧力調節バーと、第１圧力調節バーに摺動可能に挿入されるように第２エンドプレートに固定される第２圧力調節バーと、を含み、第１圧力調節バーは、第２圧力調節バーが摺動可能に挿入されるように形成される収容空間と、収容空間と連通するように第２圧力調節バーの摺動方向に沿って形成される複数の係止孔と、を備え、第２圧力調節バーは、第２圧力調節バーが収容空間に沿って摺動するとき、係止孔のいずれか一つから分離された後、係止孔の他のいずれか一つに係止されるように係止孔のいずれか一つに選択的に弾性係合する弾性係止爪を備えることを特徴とする。
【００１１】
望ましくは、弾性係止爪は複数個が形成され、係止孔の個数よりも少なく形成されることを特徴とする。
【００１２】
望ましくは、係止孔は、予め決められた間隔で形成され、弾性係止爪は、係止孔の予め決められた間隔の整数倍の間隔で形成されることを特徴とする。
【００１３】
望ましくは、弾性係止爪は、弾性変形可能に形成され、端部が第１エンドプレート側に偏って傾くように形成されることを特徴とする。
【００１４】
望ましくは、第１エンドプレートと第２エンドプレートとが相互近接する方向へ復元力を提供する復元部材をさらに含むことを特徴とする。
【００１５】
望ましくは、復元部材は、引張ばねで構成されることを特徴とする。
【００１６】
望ましくは、復元部材は、収容空間に収容された状態で一端が第１圧力調節バーに固定され、他端が第２圧力調節バーに固定されることを特徴とする。
【発明の効果】
【００１７】
本発明によるバッテリーパックは、複数の二次電池を備えたバッテリーモジュールアセンブリの両側端部にそれぞれ取り付けられたエンドプレートの間隔を自動で段階的に調節することでバッテリーモジュールアセンブリとエンドプレートとの圧力を自動で一定に維持することができる。
【図面の簡単な説明】
【００１８】
【図１】本発明の望ましい実施例によるバッテリーパックの正面図である。
【図２】図１に示したバッテリーパックの側面図である。
【図３】第１圧力調節バー、第２圧力調節バー、及び復元部材の分離斜視図である。
【図４】図３におけるＡ領域の部分拡大図である。
【図５】図３に示した第１圧力調節バー、第２圧力調節バー、及び復元部材の結合斜視図である。
【図６】図５におけるＢ領域の部分拡大図である。
【図７】バッテリーパックが膨張していない状態を示すバッテリーパックの側面図である。
【図８】バッテリーパックが膨張した状態を示すバッテリーパックの側面図である。
【図９】図７におけるＣ領域の部分拡大図である。
【図１０】図８におけるＤ領域の部分拡大図である
【発明を実施するための形態】
【００１９】
以下、添付された図面を参照して本発明の望ましい実施例を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２０】
図面における各構成要素またはその構成要素をなす特定部分の大きさは、説明の便宜及び明確性のために誇張または省略されるか、概略的に示されることがある。したがって、各構成要素の大きさは、実際の大きさを完全に反映することではない。本発明に関連する公知の機能または構成についての具体的な説明が、本発明の要旨を不要にぼやかすと判断される場合、その説明を略する。
【００２１】
図１は本発明の望ましい実施例によるバッテリーパックの正面図であり、図２は、図１に示したバッテリーパックの側面図である。
【００２２】
図１及び図２を参照すれば、本発明の望ましい実施例によるバッテリーパック１は、複数の二次電池を備えるバッテリーモジュールアセンブリ１０と、バッテリーモジュールアセンブリ１０の一端に設けられる第１エンドプレート２０と、バッテリーモジュールアセンブリ１０の一端と対向するバッテリーモジュールアセンブリ１０の他端に設けられる第２エンドプレート３０と、第１エンドプレート２０及び第２エンドプレート３０のそれぞれと結合し、バッテリーモジュールアセンブリ１０にスウェリング現象が発生するとき、第１エンドプレート２０と第２エンドプレート３０との間隔を段階的に調節する第１圧力調節バー４０及び第２圧力調節バー５０と、第１エンドプレート２０と第２エンドプレート３０とが相互近接する方向へ復元力を提供する復元部材６０と、を含む。
【００２３】
まず、バッテリーモジュールアセンブリ１０は、電気エネルギーが貯蔵される部材である。バッテリーモジュールアセンブリ１０は、図１に示したように、複数のバッテリーモジュール１２が上下積層されるように集合して形成され、第１エンドプレート２０と第２エンドプレート３０との間に介されるように設けられる。
【００２４】
バッテリーモジュール１２は、再充電が可能であり、充電または放電電圧を考慮すべき二次電池からなる二次電池セル（図示せず）、二次電池セルを固定してバッテリーモジュール１２を構成するモジュールフレーム（図示せず）、及び二次電池セルの熱を放出する冷却フィン（図示せず）などを備えることができる。
【００２５】
二次電池セルの種類は特に限定されない。例えば、二次電池セルは、リチウムイオン電池、リチウムポリマー電池、ニッケルカドミウム電池、ニッケル水素電池、及びニッケル亜鉛電池などで構成され得る。また、二次電池セルの形態は特に限定されない。例えば、二次電池セルは、外装材の種類によって、パウチ型、円筒状、角形などの形態を有することができる。望ましく、二次電池セルはパウチ型の形態を有し得る。
【００２６】
次に、第１エンドプレート２０及び第２エンドプレート３０は、バッテリーモジュールアセンブリ１０を保護するための部材である。図１に示したように、第１エンドプレート２０は、バッテリーモジュールアセンブリ１０の上部に設けられ、第２エンドプレート３０は、バッテリーモジュールアセンブリ１０の下部に設けられる。
【００２７】
また、第１エンドプレート２０は、無負荷状態で設けられ、第２エンドプレート３０は、本発明によるバッテリーパック１が設けられる設置対象物に固定された状態で設けられる。したがって、スウェリング現象が発生する場合、バッテリーモジュールアセンブリ１０は、第２エンドプレート３０によって前記設置対象物に固定された状態でバッテリーモジュールアセンブリ１０の上方へ膨張し得る。
【００２８】
また、第１エンドプレート２０及び第２エンドプレート３０は、それぞれバッテリーモジュールアセンブリ１０に対する機械的支持力を提供し、バッテリーモジュールアセンブリ１０を外部の衝撃などから保護する機能を果たす。このために、第１エンドプレート２０及び第２エンドプレート３０は、それぞれ剛性が確保できるよう、スチール及びその他の金属材質から構成されることが望ましいが、これに限定されることではない。
【００２９】
図３は、第１圧力調節バー、第２圧力調節バー、及び復元部材の分離斜視図であり、図４は、図３におけるＡ領域の部分拡大図であり、図５は、図３に示した第１圧力調節バー、第２圧力調節バー及び復元部材の結合斜視図であり、図６は、図５におけるＢ領域の部分拡大図である。
【００３０】
第１圧力調節バー４０及び第２圧力調節バー５０は、第１エンドプレート２０と第２エンドプレート３０との間隔を段階的に調節する部材である。また、復元部材６０は、第１エンドプレート２０と第２エンドプレート３０との間隔が予め決められた間隔以上に離れないように復元力を提供する部材である。
【００３１】
このような第１圧力調節バー４０、第２圧力調節バー５０、及び復元部材６０は、スウェリング現象が発生してバッテリーモジュールアセンブリ１０が膨張するとき、相互連動して第１エンドプレート２０と第２エンドプレート３０との間隔、及びバッテリーモジュールアセンブリ１０に作用する圧力を調節するために設けられる。以下、図面を参照して、第１圧力調節バー４０、第２圧力調節バー５０、及び復元部材６０について具体的に説明する。
【００３２】
まず、第１圧力調節バー４０は、少なくとも一部が第１エンドプレート２０と第２エンドプレート３０との間に位置するように第１エンドプレート２０に固定される。例えば、第１圧力調節バー４０は、図１に示したように、下端部が第１エンドプレート２０と第２エンドプレート３０との間に位置するように、上端部が第１エンドプレート２０の側面に固定され得る。
【００３３】
第１圧力調節バー４０の設置個数は特に限定されない。例えば、第１圧力調節バー４０は、図２に示したように、第１エンドプレート２０の一側面ごとにそれぞれ２つずつ、総４つが設置され得る。
【００３４】
第１圧力調節バー４０は、四角柱の形状を有することが望ましいが、これに限定されることではない。また、第１圧力調節バー４０は、図３に示したように、内部に形成される収容空間４２と、収容空間４２と連通するように予め決められた一定間隔ｌで形成される複数の係止孔４４と、第２圧力調節バー５０が収容空間４２に挿入されるよう、収容空間４２に連通して形成される挿入口４６と、を含む。
【００３５】
次に、第２圧力調節バー５０は、少なくとも一部が第１圧力調節バー４０の収容空間４２に摺動可能に挿入されるよう第２エンドプレート３０に固定される。例えば、第２圧力調節バー５０は、図１及び図５に示したように、上部が第１圧力調節バー４０の収容空間４２にバッテリーモジュールアセンブリ１０の上下方向へ摺動可能に挿入され、下端部が第２エンドプレート３０の側面に固定され得る。
【００３６】
第２圧力調節バー５０の設置個数は特に限定されない。例えば、第２圧力調節バー５０は、図２に示したように、第１圧力調節バー４０と同様に、第２エンドプレート３０の一側面ごとにそれぞれ２つずつ、総４つが設置され得る。
【００３７】
第２圧力調節バー５０は、四角柱の形状を有することが望ましいが、これに限定されることではない。また、第２圧力調節バー５０は、図３に示したように、バッテリーモジュールアセンブリ１０の上下方向に沿って形成される少なくとも一つの弾性係止爪５２を含む。
【００３８】
弾性係止爪５２の形成個数は特に限定されない。例えば、弾性係止爪５２は、図３に示したように複数個が形成され、係止孔４４の個数よりも少なく形成され得る。
【００３９】
弾性係止爪５２は、係止孔４４の形成間隔ｌの整数倍の間隔で形成される。例えば、弾性係止爪５２は、図３に示したように、係止孔４４の形成間隔ｌと同一の間隔ｌで形成され得る。このような間隔ｌで弾性係止爪５２が形成されることによって、それぞれの弾性係止爪５２は係止孔４４から同時に分離するか、係止孔４４に同時に係合し得る。
【００４０】
弾性係止爪５２の構造は特に限定されない。例えば、弾性係止爪５２は、図４に示したように、弾性変形可能に形成され、第２圧力調節バー５０の上端部側、言い換えれば、第１エンドプレート２０側へ偏って傾くように形成される。
【００４１】
このように弾性係止爪５２が設けられることによって、図６に示したように、それぞれの弾性係止爪５２は、係止孔４４のうち、これに対応するいずれか一つの係止孔４４に弾性係合できる。
【００４２】
次に、復元部材６０は、第１エンドプレート２０と第２エンドプレート３０との間に設けられる。復元部材６０の構造は、特に限定されない。例えば、復元部材６０は、図３に示したように引張ばねで構成可能できる。
【００４３】
復元部材６０の設置方法は特に限定されない。例えば、復元部材６０は、図５に示したように、第１圧力調節バー４０の収容空間４２に収容された状態で、一端が第１圧力調節バー４０における上端部に固定され、前記一端と対向する他端が第２圧力調節バー５０の上端部に固定されて設置され得る。
【００４４】
このような復元部材６０は、第１圧力調節バー４０と第２圧力調節バー５０とが相互近接する方向へ復元力を提供する。また、第１圧力調節バー４０及び第２圧力調節バー５０を介して、第１エンドプレート２０と第２エンドプレート３０との間にも第１エンドプレート２０と第２エンドプレート３０とが相互近接する方向へ復元力が提供される。
【００４５】
なお、復元部材６０は、収容空間４２に収容された状態で一端が第１圧力調節バー４０の上端部に固定され、他端が第２圧力調節バー５０の上端部に固定されるように説明したが、これに限定されることではない。即ち、復元部材６０は、一端が第１エンドプレート２０に固定され、他端が第２エンドプレート３０に固定される方式など、第１エンドプレート２０と第２エンドプレート３０との間に復元力を提供できる多様な方式によって設置することができる。
【００４６】
図７は、バッテリーパックが膨張されていない状態を示すバッテリーパックの側面図であり、図８は、バッテリーパックが膨張した状態を示すバッテリーパックの側面図であり、図９は、図７におけるＣ領域の部分拡大図であり、図１０は、図８におけるＤ領域の部分拡大図である。
【００４７】
以下、図面を参照して、スウェリング現象が発生することによるバッテリーモジュールアセンブリ１０の膨張時、第１圧力調節バー４０及び第２圧力調節バー５０によってバッテリーモジュールアセンブリ１０に印加される圧力が調節される様態を説明する。
【００４８】
前述のように、第２圧力調節バー５０のそれぞれの弾性係止爪５２は、第１圧力調節バー４０の係止孔４４のうち、これに対応するいずれか一つにそれぞれ弾性係合する。そうすると、図７に示したように、第１圧力調節バー４０と第２圧力調節バー５０によって第１エンドプレート２０及び第２エンドプレート３０が固定されることで第１エンドプレート２０と第２エンドプレート３０との間隔Ｌが一定に維持される。
【００４９】
しかし、スウェリング現象が発生してバッテリーモジュールアセンブリ１０が膨張すれば、バッテリーモジュールアセンブリ１０と第１エンドプレートとの間、及びバッテリーモジュールアセンブリ１０と第２エンドプレート３０との間に作用する圧力がそれぞれ増加する。
【００５０】
ここで、前述のように、第１エンドプレート２０は、無負荷状態で設置され、第１エンドプレート２０は、本発明によるバッテリーパック１が設けられる設置対象物に固定された状態で設けられる。したがって、バッテリーモジュールアセンブリ１０が膨張すれば、バッテリーモジュールアセンブリ１０は第１エンドプレート２０を上方へ押し上げるようになる。そうすれば、図８に示したように、第１圧力調節バー４０は第１エンドプレート２０によってバッテリーモジュールアセンブリ１０の上方へ押し上げられ、これによりそれぞれの弾性係止爪５２は、これと弾性係合した係止孔４４の内側面と接触して所定の力の印加を受ける。
【００５１】
それぞれの弾性係止爪５２に加えられる力が一定水準以上になれば、それぞれの弾性係止爪５２は、これと係合したそれぞれの係止孔４４の内側面によってぺしゃんこに押し詰められて弾性変形され、これと係合したそれぞれの係止孔４４から分離される。そうすれば、第２圧力調節バー５０とそれぞれの弾性係止爪５２とは、第１圧力調節バー４０の収容空間４２に沿って摺動する。
【００５２】
このように第２圧力調節バー５０とそれぞれの弾性係止爪５２が移動する場合、第２圧力調節バー５０及びそれぞれの弾性係止爪５２が係止孔４４の形成間隔分だけ移動すれば、それぞれの弾性係止爪５２はまた新しい係止孔４４に接する。そうすれば、それぞれの弾性係止爪５２は弾性変形が解除され、また新たな係止孔４４に弾性係合する。即ち、図９及び図１０に示したように、第２圧力調節バー５０が第１圧力調節バー４０の収容空間４２に沿って摺動するとき、それぞれの弾性係止爪５２は、係止孔４４のいずれか一つから分離された後、他の一つの弾性係止爪５２に弾性係合するのである。これにより、第２圧力調節バー５０は、係止孔４４の形成間隔ｌ分だけ移動した後に止められ、第１エンドプレート２０と第２エンドプレート３０との間隔Ｌ＋ｌは、第２圧力調節バー５０の摺動前に比べて係止孔４４の形成間隔ｌ分だけ離れるようになる。
【００５３】
このように本発明によるバッテリーパック１は、スウェリング現象が発生してバッテリーモジュールアセンブリ１０が膨張するとき、第１エンドプレート２０と第２エンドプレート３０との間隔Ｌが係止孔４４の形成間隔ｌ分だけ自動で段階的に調節される。これによって、スウェリング現象によって増加したエンドプレート４０、５０とバッテリーモジュールアセンブリ１０との間に作用する圧力は、第１エンドプレート２０と第２エンドプレート３０との間隔Ｌが自動で段階的に調節されて減圧することによって、一定レベル以下に自動調節される。その結果、本発明によるバッテリーパック１は、スウェリング現象によって増加したエンドプレート２０、３０とバッテリーモジュールアセンブリ１０との間に作用する圧力によって本発明によるバッテリーパック１の構造物に変形が発生することを効果的に防止することができる。
【００５４】
なお、前述のように第１圧力調節バー４０と第２圧力調節バー５０とが復元部材６０によって連結されることで、第１圧力調節バー４０と第２圧力調節バー５０との間には第１圧力調節バー４０と第２圧力調節バー５０とが近接する方向へ復元部材６０の復元力が提供される。言い換えれば、第１圧力調節バー４０及び第２圧力調節バー５０には、バッテリーモジュールアセンブリ１０の膨張力と復元部材６０の復元力とがそれぞれ作用するのである。
【００５５】
そうすれば、スウェリング現象が発生して第２圧力調節バー５０が移動するとき、バッテリーモジュールアセンブリ１０の膨張力の少なくとも一部が復元部材６０の復元力によって相殺される。これによって、第２圧力調節バー５０は、第１圧力調節バー４０の収容空間４２に沿って漸進的に摺動される。したがって、復元部材６０は、第２圧力調節バー５０が速く移動され、エンドプレート２０、３０とバッテリーモジュールアセンブリ１０との間に作用する圧力が急激に変動することを防止することができる。また、復元部材６０は、第１圧力調節バー４０と第２圧力調節バー５０とを相互連結することで、第１圧力調節バー４０と第２圧力調節バー５０との間隔が無限増加することを防止することができる。
【００５６】
一方、復元部材６０の復元力は、圧力調節バー４０、５０とエンドプレート２０、３０を介してバッテリーモジュールアセンブリ１０に伝達されるが、このような復元部材６０の復元力がバッテリーモジュールアセンブリ１０に常に作用すれば、バッテリーモジュールアセンブリ１０に悪影響を与える恐れがある。しかし、第２圧力調節バー５０の弾性係止爪５２が第１圧力調節バー４０の係止孔４４に係合すれば、複合部材の復元力は弾性係止爪５２及びこれと係合した係止孔４４に作用して全て相殺される。したがって、復元部材６０の復元力は、弾性係止爪５２が係止孔４４から分離されて第２圧力調節バー５０の移動中のみにバッテリーモジュールアセンブリ１２に選択的に作用するため、復元部材６０の復元力によってバッテリーモジュールアセンブリ１０が損傷することを防止することができる。
【００５７】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００５８】
１  バッテリーパック
１０  バッテリーモジュールアセンブリ
２０  第１エンドプレート
３０  第２エンドプレート
４０  第１圧力調節バー
５０  第２圧力調節バー
６０  復元部材
【図１】
0006420503.tif 000002
【図２】
0006420503.tif 000003
【図３】
0006420503.tif 000004
【図４】
0006420503.tif 000005
【図５】
0006420503.tif 000006
【図６】
0006420503.tif 000007
【図７】
0006420503.tif 000008
【図８】
0006420503.tif 000009
【図９】
0006420503.tif 000010
【図１０】
0006420503.tif 000011